(57)【要約】【課題】電装基板のメンテナンスを容易に行うことができる。【解決手段】遊技球循環装置３を設けた本体枠１に、前方へ回動可能に前扉枠４を軸着し、前扉枠４の背面に電装基板５１，５２を設ける。【選択図】        図１
2013248087.tif 000002
【特許請求の範囲】
【請求項１】
遊技球循環装置を設けた本体枠に、前方へ回動可能に前扉枠を軸着し、前記前扉枠の背面に電装基板を設けたことを特徴とする封入式弾球遊技機。
【請求項２】
前記前扉枠に、前方へ突出しその上面に表示部および操作部の少なくとも一方を設けた突出部を形成し、当該突出部の内空間に前記電装基板の少なくとも一部を収納した請求項１に記載の封入式弾球遊技機。
【請求項３】
本体枠を前方へ開放する箱状としてその開放口を前扉枠で閉鎖し、前記本体枠の上半空間内に遊技盤の遊技部品を収容するとともに、前記本体枠の下半空間内の奥側位置に遊技球循環装置を収容し、前記下半空間内の前側位置で前記遊技球循環装置と干渉しない位置に電装基板を収容したことを特徴とする封入式弾球遊技機。
【発明の詳細な説明】
【技術分野】
【０００１】
本発明は封入式弾球遊技機に関し、特に、電装基板のメンテナンスを容易に行える構造の封入式弾球遊技機に関する。
【背景技術】
【０００２】
封入式弾球遊技機は遊技済みの球を遊技機内で発射球として循環させる構造となっており、遊技者は実際の球を投入せず、カードに記憶された金額情報の範囲で遊技可能で、入賞すると賞価値情報がデータとして加算記憶される。このような封入式弾球遊技機では電気的な制御部の役割が大きく、当該制御部や電源部、コネクタ部等を設けた電装基板が大型化している。
【０００３】
この場合、電装基板は例えば特許文献１に示されるように本体枠内に設けられ、発射球を循環させる循環流路は本体枠に回動可能に軸着された前扉枠に設けられている。したがって、通常使用時には前扉枠が本体枠の開放口を閉じ、循環流路が電装基板の前方に位置している。電装基板をメンテナンスする場合には、前扉枠を前方へ開放回動させて本体枠内の電装基板を露出させる。
【先行技術文献】
【特許文献】
【０００４】
【特許文献１】特開２００２−６５９５６
【発明の概要】
【発明が解決しようとする課題】
【０００５】
ところで、循環流路は本体枠側に設けた方が、デザイン等の異なる複数種の前扉枠に共通の本体枠を使用できることから有利であるが、上記従来の構造のように、循環流路を電装基板の前方に位置させた状態でこれを本体枠に設けると電装基板のメンテナンスが困難になるという問題があった。
【０００６】
そこで、本発明はこのような課題を解決するもので、電装基板のメンテナンスを容易に行うことができる封入式弾球遊技機を提供することを目的とする。
【課題を解決するための手段】
【０００７】
上記目的を達成するために、本第１発明では、遊技球循環装置（３）を設けた本体枠（１）に、前方へ回動可能に前扉枠（４）を軸着し、前記前扉枠（４）の背面に電装基板（５１，５２）を設けたことを特徴とする。
【０００８】
本第１発明においては、遊技球循環装置を本体枠に設けたことによって、複数種の、デザイン等の異なる前扉枠に対して本体枠を共通に使用することができる。そして、電装基板のメンテナンスを行う場合には前扉枠を前方へ回動させてその後面の電装基板を露出させることによって、容易に行うことができる。
【０００９】
本第２発明では、前記前扉枠（４）に、前方へ突出しその上面に表示部（４４）および操作部の少なくとも一方を設けた突出部（４３）を形成し、当該突出部（４３）の内空間（４３１）に前記電装基板（５１，５２）の少なくとも一部を収納する。
本第２発明においては、本第１発明の作用効果に加えて、突出部の内空間を有効に利用して、他部材と干渉することなく電装基板を収容することができる。
【００１０】
本第３発明では、本体枠（１）を前方へ開放する箱状としてその開放口を前扉枠で閉鎖し、前記本体枠（１）の上半空間内に遊技盤（２）の遊技部品（２３）を収容するとともに、前記本体枠（１）の下半空間内の奥側位置に遊技球循環装置（３）を収容し、前記下半空間内の前側位置で前記遊技球循環装置（３）と干渉しない位置に電装基板（５１，５２）を収容する。
【００１１】
本第３発明においては、遊技球循環装置を本体枠内に設けたことによって、複数種の、デザイン等の異なる前扉枠に対して本体枠を共通に使用することができる。電装基板のメンテナンスを行う場合には前扉枠を開いて本体枠内の電装基板を露出させることによって、容易に行うことができる。
【００１２】
上記カッコ内の符号は、後述する実施形態に記載の具体的手段との対応関係を示すものである。
【発明の効果】
【００１３】
以上のように、本発明の封入式弾球遊技機によれば、電装基板のメンテナンスを容易に行うことができる。
【図面の簡単な説明】
【００１４】
【図１】本発明の第１実施形態における、封入式弾球遊技機の前扉枠を開いた状態での斜視図である。
【図２】本体枠の下半空間内に設けられる遊技球循環装置の分解斜視図である。
【図３】本発明の第２実施形態における、封入式弾球遊技機の前扉枠を開いた状態での部分断面側面図である。
【図４】封入式弾球遊技機の前扉枠を閉鎖した状態での部分断面側面図である。
【図５】本発明の第３実施形態における、封入式弾球遊技機の前扉枠を開いた状態での斜視図である。
【図６】本発明の第４実施形態における、封入式弾球遊技機の前扉枠を開いた状態での斜視図である。
【図７】封入式弾球遊技機の本体枠の側面図である。
【発明を実施するための形態】
【００１５】
なお、以下に説明する実施形態はあくまで一例であり、本発明の要旨を逸脱しない範囲で当業者が行う種々の設計的改良も本発明の範囲に含まれる。
【００１６】
（第１実施形態）
図１に本実施形態における封入式弾球遊技機（パチンコ機）の斜視図を示す。図において、本体枠１は前方へ開放する矩形の箱状をなし、その上半空間内に遊技盤２が設置されている。遊技盤２の盤面は外レール２１と内レールによって円形の遊技領域２２に区画されて、当該遊技領域２２内に図示を省略する液晶表示装置や始動入賞口、風車、その他の役物等が設けられている。
【００１７】
本体枠１の下半空間内には前側から後側へ順次、公知の球発射装置３１、整流器３２、および封入球を循環させる循環流路３３が配置されている（図２）。このように、循環流路３３に隣接させて整流器３２を配置すると従来のように遊技球を一旦発射機の前方に誘導する構成に比べて循環流路３３をコンパクトな構造にできる。球発射装置３１から発射された遊技球は、入賞球、アウト球、ファール球のいずれも循環流路３３に戻されて整流器３２を経て再び球発射装置３１へ供給される。循環流路は、入賞球、アウト球、ファール球を受け止めて回収する回収部と、その下流側で回収した封入球を一列に整流する整流部で構成される。これら球発射装置３１、整流器３２および循環流路３３の他、循環途中で封入球を磨くための球磨き装置（図示せず）等によって遊技球循環装置３が構成されている。
【００１８】
一方、本体枠１の一側縁に前扉枠４の一側縁が軸着されて、図１に示すように前方へ開放回動できるようになっており、前扉枠４の上半には上記遊技領域２２に対応する大きさの円形ガラス窓４１が形成されている。そして、前扉枠４の下半背面の左右位置に、発射制御や払出し制御を行う制御部を形成した電装基板５１，５２が配置されている。左右の電装基板５１，５２の前面（図１では奥側）にはこれらに沿ってシールド板５３が設けてあって、静電気的に制御部を誤作動させる不正行為を防止している。
【００１９】
本体枠１の開口を閉じるように前扉枠４を後方へ回動させると、前扉枠４の後面に設けた電装基板５１，５２が本体枠１の下半空間内に進入して、球発射装置３１の前方位置へ収納される。この際、本体枠１の他側縁に沿って上下方向の複数位置に設けたフック部材１１が、前扉枠４の他側縁の複数位置に設けた係合穴４２内に進入して前扉枠４が本体枠１にロックされる。ロック状態を解消する場合には、本体枠１に設けた鍵穴１２にキーを差し込んでフック部材１１を係合穴４２との係合を解消する方向へ移動させる。
【００２０】
このような構造によれば、循環流路３３を本体枠１内に設けたことによって、複数種の、デザイン等の異なる前扉枠４に対して本体枠１を共通に使用することができるとともに、電装基板５１，５２のメンテナンスを行う場合には前扉枠４を開いてその後面の電装基板５１，５２を露出させる（図１の状態）ことによって、容易に行うことができる。また、本体枠１内において循環流路３３は電装基板５１，５２に比してコンパクトにできるから、その分、遊技盤２を大型にして、より大きな液晶表示器等を遊技盤面に設けることができる。循環流路３３が電装基板５１，５２よりコンパクトにできる理由は以下のようなものである。すなわち、電装基板は、作業者がメンテナンスの際に基板の状態を目視で確認し易くするために遊技盤に対して平行に設置することが好ましい。その結果、基板面に応じた設置高さが必要になる。これに対して、循環流路はその配置に自由度があるため比較的容易に高さを低く抑えることができる。
【００２１】
（第２実施形態）
図３に示す封入式弾球遊技機は、第１実施形態と同様の構造の箱状の本体枠１を有し、これに、第１実施形態と同様の構造で前扉枠４が回動可能に取り付けられる。そして、本体枠１の下半空間内には既に第１実施形態で説明した球発射装置３１、整流器３２および循環流路３３が設けられている。
【００２２】
前扉枠４の後面には遊技盤２が一体に設けられており、遊技盤２の役物２３が当該遊技盤２の後面に突出している。封入式の遊技機の場合には通常の遊技機のような球皿が設けられておらず、その代わりに図３に示すように前扉枠４の前面に、各種表示器４４や操作スイッチを設けた操作盤４３が突設されることが多い（例えば特開平９−４７５６０）。そして本実施形態では、突出部としての操作盤４３の内空間４３１に電装基板５１，５２が収納されている。なお、この内空間４３１は前扉枠４の後面に開口している。
【００２３】
前扉枠４を閉じた状態では、図４に示すように、遊技盤２とその後面の役物２３が本体枠１の上半空間内に進入する。このような本実施形態によれば、循環流路３３を本体枠１内に設けたことによって、複数種の、デザイン等の異なる前扉枠４に対して本体枠１を共通に使用することができるとともに、電装基板５１，５２のメンテナンスを行う場合には前扉枠４を開いて（図３の状態）内空間４３１の開口から容易に行うことができる。
【００２４】
また、本体枠１内における循環流路３３は電装基板５１，５２に比べるとコンパクトにできるから、その分、遊技盤２を大型にしてより大きな液晶表示器等を遊技盤面に設けることができる。さらに本実施形態では、操作盤４３の内空間４３１を有効に利用して、他部材と干渉することなく電装基板５１，５２を収容することができる。なお、本実施形態において、電装基板５１，５２は全てを操作盤４３の内空間４３１に収容する必要はなく、その一部（前部）のみを内空間４３１に収容するようにしても良い。
【００２５】
（第３実施形態）
本実施形態では、図５に示すように、電装基板５１，５２を本体枠１内に設けている。すなわち、図５において、本体枠１は第１実施形態と同様の前方へ開放する箱状となっており、その上半空間内に遊技盤２が配設されるとともに、下半空間内には第１実施形態と同様の、球発射装置３１、整流器３２および循環流路３３が配設されている。そして、下半空間内の、最前位置にある球発射装置３１と干渉しないさらに前方の左右位置に上記電装基板５１，５２が設けられている。一方、前扉枠４の下端部には、当該前扉枠４を本体枠１に向けて回動させて閉鎖した際に電装基板５１，５２が相対進入する矩形の凹所４５が形成されており、他の構造は、電装基板およびシールド板が設けられていない点を除いて第１実施形態と同様である。ここで、電装基板は球発射装置と干渉しない位置であれば、正面視で球発射装置を覆わないように左右に位置をずらして配置しても良い。また、シールド板を前扉枠の背面に残しても良い。さらに、電装基板を本体枠に開閉可能に設けて、状況に応じて循環流路や発射装置、整流器等を露出してメンテナンス可能な構成にしてもよい。
【００２６】
このような構造によれば、循環流路３３を本体枠１内に設けたことによって、複数種の、デザイン等の異なる前扉枠４に対して本体枠１を共通に使用することができるとともに、電装基板５１，５２のメンテナンスを行う場合には前扉枠４を開いて本体枠１内の電装基板５１，５２を露出させることによって（図５の状態）、容易に行うことができる。また、本体枠１内の後部に位置する循環流路３３は上述の理由で電装基板５１，５２に比べてコンパクトにできるから、その分、遊技盤２の背後に突出する役物の大型化が可能となる。
【００２７】
（第４実施形態）
図６には本実施形態における封入式弾球遊技機（パチンコ機）の斜視図を示す。本実施形態では、本体枠１は板状となっており、その一側縁が基枠５の一側縁に軸支されている。基枠５は矩形の枠体で、その下辺には一定高の幕板５３が設けられている。そして、本体枠１は幕板５３上方の基枠空間５４内に回動収納可能であるとともに、図６に示すように前方へ引き出し回動できるようになっている。
【００２８】
本体枠１の後面には遊技盤２が取り付けられ（図７）、遊技盤２からその後方へ役物２３が突出している。このような遊技盤２は本体枠１へその後方から着脱可能となっている。遊技盤２の下部には既に説明したのと同様の遊技球循環装置３を構成する球発射装置３１、整流器３２および循環流路３３がこの順で前方から後方へ設けられている。役物２３は遊技球循環装置３の上方に設けられ、その後部は下方へ突出して上記循環装置３の後方を覆う延出部２３１となっている。
【００２９】
図６において、前扉枠４はその一側縁が本体枠１の一側縁に軸支されており、本体枠１に重ねられた位置から図６に示すように前方へ開放回動可能である。前扉枠４の上半には遊技盤２の遊技領域に対応する大きさの円形のガラス窓４１が形成されており、前扉枠４の下半背面に形成された凹所４３内の左右位置に電装基板５１（一方のみ図示）が配置されている。
【００３０】
このような構造によれば、循環流路３３を本体枠１内に設けたことによって、複数種の、デザイン等の異なる前扉枠４に対して本体枠１を共通に使用することができるとともに、電装基板５１のメンテナンスを行う場合には前扉枠４を開いてその後面の電装基板５１を露出させる（図６の状態）ことによって、容易に行うことができる。また、本体枠１内において循環流路３３は電装基板５１に比して前述の理由によりコンパクトにできるから、その分、遊技盤２を大型にして、より大きな液晶表示器等を遊技盤面に設けることができる。さらに図７に示すように、循環流路３３の後方のスペースに延出部２３１を位置させて大型の役物２３を設けることも可能である。
【００３１】
（その他の実施形態）
上記各実施形態において、本体枠の上半空間内に収納される遊技盤の取り付け枠を、回動式遊技機（パチスロ機）やその他の遊技機のものと共通または部分的に交換可能にしておけば、本体枠をそのまま利用してパチンコ機からパチスロ機等への変更が可能になる。
【００３２】
上記各実施形態において、遊技盤の前後方向の傾斜（遊技盤の上端と下端における前後方向の相対的ずれの大きさ）を調整する調整部を本体枠内に設けると、遊技機を設置する際の姿勢の自由度が向上する。
【００３３】
また、上記各実施形態において、遊技盤支持枠を別途設けて、これを本体枠に軸支し、遊技盤支持枠に前扉枠を軸支する構成としても良い。このようにすると、遊技機の入替えの際に本体枠を除く前側のユニットのみを交換すれば良いからコスト低減を実現できる。
【００３４】
上記各実施形態において、遊技盤支持枠に遊技盤を軸支し、本体枠へ設置する際に遊技盤の開放端を遊技盤支持枠を介して本体枠に保持させる構造としても良い。これによると、遊技盤を前扉枠と本体枠のどちらに固定してもスムーズに前扉枠を開閉することができる。
【００３５】
上記各実施形態において、前扉枠を本体枠に取り付ける軸と同軸上に遊技盤を前扉枠背面で軸支する構造としても良い。これによれば、遊技盤支持枠がなくても遊技盤の固定位置に関係なくスムーズに前扉枠を開閉できるので部品点数が削減できる。
【００３６】
上記各実施形態において、外レールと球発射装置を設けた中間枠を、前扉枠と本体枠の間に開閉回動可能に設けても良い。このような構造によれば、遊技領域までの球投入経路が確実に位置決めされて球発射が安定する。
【００３７】
上記各実施形態において、球発射装置はいわゆる上部発射方式とすることができる。この場合、循環流路と球発射装置の間には球揚送機構を設けると良い。球揚送機構は循環流路と共に遊技盤の背面に配置される。このような構造によれば、外レールにより球発射経路を形成する必要が無いから、遊技盤の遊技領域が拡大できる。
【００３８】
整流部は前後方向に複数回屈曲させながら下り傾斜させるとよい。これによれば、整流部を長くして封入球貯留量を確保しながら、高さ方向をよりコンパクトにすることができる  
【００３９】
封入式弾球遊技機にヘッドホン、高指向性のスピーカ、骨伝導式ヘッドホンを備えたり、遊技機から無線で発信した音情報を携帯端末からイヤホンを通して供給する等、周辺に音が漏れ難くすることが可能な音供給手段を設けると良い。これによると、当該遊技機から発生する音が周辺に与える影響を少なくできるので、遊技場以外の場所に設置することが容易になる。
【００４０】
また、入賞したときに、賞球音として、電子音を発生させたり、枠に設けたベル等の可動部を動かして実際に音を鳴らしたり、あるいは複数の封入球を透明窓越しに流下させるようにすると良い。これにより、遊技者に賞球が出ている実感を付与することができる。
【００４１】
また、遊技者が遊技可能な持ち球数は、数値表示の他、レベルメータなどのように光の帯の長さで表したり、光の発光色や点滅状態の変化で表してもよい。
【００４２】
有効な発射球数を計数するための検知手段を戻り球防止弁に設けるとよい。これにより、ファール球の発生をより正確に検知することができる。また検知したファール球情報を報知するようにすると良い。
【００４３】
上記第２実施形態では突出部を操作盤としたが、操作盤に代えて、ギミックや封入球の振分け演出を行う機構を設けた演出盤としても良い。
【符号の説明】
【００４４】
１…本体枠、２…遊技盤、２３…役物（遊技部品）、３…遊技球循環装置、３１…球発射装置、３２…整流器、３３…循環流路、４…前扉枠、４３…操作盤（突出部）、４３１…内空間、４４…表示器、５１，５２…電装基板。
【図１】
2013248087.tif 000003
【図２】
2013248087.tif 000004
【図３】
2013248087.tif 000005
【図４】
2013248087.tif 000006
【図５】
2013248087.tif 000007
【図６】
2013248087.tif 000008
【図７】
2013248087.tif 000009